(57)【要約】      （修正有）【課題】透明な軸筒の前端部にコイルスプリングを収容しても、軸筒の前端部の見栄えが損なわれない出没式筆記具を提供する。【解決手段】軸筒２の内部にレフィル５を収容する。レフィル５のペン先５１を軸筒２の前端より前方に出没自在に構成する。軸筒２の先細状の前端部２１の内部に、レフィル５を常時後方に付勢するコイルスプリング４を収容する。軸筒２の先細状の前端部２１を透明または半透明材料により構成する。軸筒２の先細状の前端部２１の外周面に複数の溝３を視認可能に設ける。溝３が、軸筒２の先細状の前端部２１の外周面に環状または螺旋状に形成される。【選択図】図１
0003155531.tif 000002
【実用新案登録請求の範囲】
【請求項１】
軸筒の内部にレフィルを収容し、前記レフィルのペン先を軸筒の前端より前方に出没自在に構成し、前記軸筒の先細状の前端部の内部に、前記レフィルを常時後方に付勢するコイルスプリングを収容し、前記軸筒の先細状の前端部を透明または半透明材料により構成した出没式筆記具であって、
前記軸筒の先細状の前端部の外周面に複数の溝を視認可能に設けたことを特徴とする出没式筆記具。
【請求項２】
前記溝が、軸筒の先細状の前端部の外周面に環状または螺旋状に形成される請求項１記載の出没式筆記具。
【請求項３】
ペン先没入時のコイルスプリングのピッチが、前記溝の幅、前記溝の間隔、前記溝のピッチのいずれかと略一致してなる請求項２記載の出没式筆記具。
【考案の詳細な説明】
【技術分野】
【０００１】
本考案は、出没式筆記具に関する。詳細には、軸筒の内部にレフィルを収容し、前記レフィルのペン先を軸筒の前端より前方に出没自在に構成した出没式筆記具に関する。
【背景技術】
【０００２】
従来この種の出没式筆記具に関し、特許文献１の図２には、透明な軸筒（先軸２３）内にリターンスプリング２６が収容されたノック式筆記具が開示されている。
【０００３】
【特許文献１】特開平１０−２６４５８４号公報
【考案の開示】
【考案が解決しようとする課題】
【０００４】
前記特許文献１の出没式筆記具は、透明な前端部の内部のリターンスプリング（コイルスプリング）が外部より視認されるため、軸筒の前端部の見栄えが損なわれる。
【０００５】
本考案は前記従来の問題点を解決するものであって、透明な軸筒の前端部にコイルスプリングを収容しても、軸筒の前端部の見栄えが損なわれることを回避できる出没式筆記具を提供しようとするものである。
【課題を解決するための手段】
【０００６】
本願の第１の考案は、軸筒２の内部にレフィル５を収容し、前記レフィル５のペン先５１を軸筒２の前端より前方に出没自在に構成し、前記軸筒２の先細状の前端部２１の内部に、前記レフィル５を常時後方に付勢するコイルスプリング４を収容し、前記軸筒２の先細状の前端部２１を透明または半透明材料により構成した出没式筆記具であって、前記軸筒２の先細状の前端部２１の外周面に複数の溝３を視認可能に設けたことを特徴とする。
【０００７】
前記第１の考案の出没式筆記具１は、軸筒２の前端部２１の外周面の複数の溝３により、内部のコイルスプリング４を目立たなくすることでき、軸筒２の前端部２１の見栄えが損なわれることを回避できる。さらに、前記第１の考案の出没式筆記具１は、軸筒２の前端部２１の外周面の複数の溝３の装飾効果により、優れた外観性が得られる。
【０００８】
本願の第２の考案は、前記第１の考案において、前記溝３が、軸筒２の先細状の前端部２１の外周面に環状または螺旋状に形成されることを特徴とする。
【０００９】
前記第２の考案の出没式筆記具１は、内部のコイルスプリング４の輪郭線と、前記溝３の線が重なり、コイルスプリング４を目立たなくすることができ、軸筒２の前端部２１の見栄えが損なわれることを回避できる。さらに、前記第２の考案の出没式筆記具１は、軸筒２の前端部２１の外周面を把持した際、指が溝３に食い付いて前後方向の優れた滑り止め効果が得られる。もし、先細状の前端部２１の外周面に環状または螺旋状の溝３が存在しない場合、先細状の前端部２１の外周面を把持した際に、先細状の前端部２１の外周面の傾斜面に沿ってペン先５１側に指が滑り易い。
【００１０】
本願の第３の考案は、前記第２の考案において、ペン先５１没入時のコイルスプリング４のピッチＰが、前記溝３の幅Ａ、前記溝３の間隔Ｂ、前記溝３のピッチＣのいずれかと略一致してなることを特徴とする。
【００１１】
前記第３の考案の出没式筆記具１は、内部のコイルスプリング４の輪郭線と、前記溝３の線が重なり、コイルスプリング４をより一層目立たなくすることができ、軸筒２の前端部２１の見栄えが損なわれることを回避できる。
【考案の効果】
【００１２】
本願考案は、軸筒の前端部の見栄えが損なわれることを回避できる。
【考案を実施するための最良の形態】
【００１３】
図１及び図２に本考案の出没式筆記具１の実施の形態を示す。本実施の形態の出没式筆記具１は、軸筒２と、前記軸筒２内に前後方向に移動可能に収容されるレフィル５と、前記軸筒２内に収容され、前記レフィル５を後方に付勢するコイルスプリング４とからなる。
【００１４】
前記軸筒２の後端部には、出没機構が設けられる。前記出没機構は、軸筒２の後端より後方に突出するノック体２３を前方に押圧することにより、ペン先没入状態にあるレフィル５のペン先５１を軸筒２に前端より突出状態にさせるノック機構である。さらに、本実施の形態では、ノック体２３を前方に押圧することにより、ペン先突出状態からペン先没入状態にさせるダブルノック式のノック機構が採用される。
【００１５】
前記軸筒２は、透明（即ち、無色透明または着色透明）または半透明の合成樹脂（例えば、ポリカーボネイト樹脂、ポリプロピレン樹脂、ＡＢＳ樹脂等）の成形体からなる。前記軸筒２の前部外周面には、ゴムまたはエラストマーからなる把持部２２が２色成形または別部材の取り付けにより設けられる。前記把持部２２は、レフィル５内のインキ色と略同一の色に着色された、不透明または半透明の材料より構成される。また、前記軸筒２の後部外面にはクリップ２４が設けられる。
【００１６】
前記軸筒２の前端部２１は、前方に向かうに従って外径が小さくなる先細状となり、前記軸筒２の先細状の前端部２１の外周面には、複数の環状の溝３が等間隔に設けられる。即ち、前記各々の環状の溝３の幅Ａが等しく設定され、前記各々の環状の溝３の間隔Ｂが等しく設定され、前記各々の環状の溝３のピッチＣが等しく設定される。
【００１７】
前記環状の溝３を軸筒２の先細状の前端部２１に設けたことにより、筆記時、前記軸筒２の前端部２１を把持した際、指が環状の溝３に食い付いて、優れた滑り止め効果が得られる。
【００１８】
前記軸筒２の先細状の前端部２１の内部にはコイルスプリング４が収容される。前記コイルスプリング４の前端は、前記軸筒２の先細状の前端部２１の内壁の係止部に係止される。一方、前記コイルスプリング４の後端は、レフィル５の肩部に係止される。前記コイルスプリング４により、レフィル５が常時後方に付勢される。ペン先没入状態において、コイルスプリング４のピッチＰ（コイルピッチ）は、前記環状の溝３の幅Ａ、前記各々の環状の溝３の間隔Ｂと概ね一致するよう設定される。それにより、コイルスプリング４のシルエットと、環状の溝３のシルエットとが重なり、コイルスプリング４を外部から目立たなくすることができるとともに、環状の溝３の装飾効果（デザイン効果）により、軸筒２の先細状の前端部２１の外観性が向上する（図２参照）。
【００１９】
もし、前記軸筒２の先細状の前端部２１に環状の溝３を設けない場合、図３に示すように、コイルスプリング４を外部より明確に視認され、軸筒２の先細状の前端部２１の外観性が阻害される。
【００２０】
レフィル５は、内部にインキ（水性インキまたは油性インキ）が充填され、前端に前記インキが吐出可能なペン先５１を備える。前記ペン先５１は、前端に回転可能にボールが抱持されたボールペンチップが採用される。前記ペン先５１は、これ以外にも、繊維加工体または多孔質体からなるペン体であってもよい。
【００２１】
尚、前記先細状の前端部に螺旋状の溝を設けることもできる。前記螺旋状の溝においても、前記環状の溝３と同様の効果が得られる。即ち、コイルスプリングを外部から目立たなくすることができるとともに、螺旋状の溝の装飾効果（デザイン効果）により、軸筒の先細状の前端部の外観性が向上する。前記螺旋状の溝は、コイルスプリングのコイル巻き方向と同じ方向に設けることが有効である。さらに、螺旋状の溝により、筆記時、前記軸筒の前端部を把持した際、指が螺旋状の溝に食い付いて、優れた滑り止め効果が得られる。
【図面の簡単な説明】
【００２２】
【図１】本考案の実施の形態のペン先没入状態を示す一部切欠縦断面図である。
【図２】図１の外観図である。
【図３】本考案の実施の形態の比較例を示す軸筒の前端部の外観図である。
【符号の説明】
【００２３】
１  出没式筆記具
２  軸筒
２１  先細状の前端部
２２  把持部
２３  ノック体
２４  クリップ
３  溝
４  コイルスプリング
５  レフィル
５１  ペン先
【図１】
0003155531.tif 000003
【図２】
0003155531.tif 000004
【図３】
0003155531.tif 000005